(57)【要約】【課題】配線挿通作業を良好におこなうことができ、配線収容空間に収納した配線接続部へのケーブル端子の抜き差し等の作業性を良好にできるデスク装置を提供する。【解決手段】デスク装置１は、第１、第２の天板１１，１２間の配線挿通空間２３に配線支持体３１が配置されている。配線支持体にテーブルタップ５２が支持され、テーブルタップのタップ上面６３が第１、第２の天板の上面に対して面一に配置されている。また、第１、第２の天板の上面に対して配線カバー３２のカバー上面７６を面一に配置した。カバー上面は、配線挿通空間においてテーブルタップを除いた空間を閉塞する。【選択図】図４
2019080610.tif 000002
【特許請求の範囲】
【請求項１】
床面上に左右方向へ離間して立設された一対の支持体と、
前記一対の支持体の上部間に架設されるとともに、前後方向へ離間して配置されることにより前後方向の中央に配線挿通空間を形成する一対の天板と、
前記一対の天板間の前記配線挿通空間に配置され、差込口を上面に有する配線接続部を前記上面が前記天板の上面に対して面一になるように支持可能な配線支持体と、
前記天板の上面に対して面一になるように配置され、前記配線挿通空間において前記配線接続部を除いた空間を閉塞するカバー上面を有する配線カバーと、
を備えることを特徴とするデスク装置。
【請求項２】
前記カバー上面は、カバー上面に対して交差するように上下方向を向く挿通空間部が設けられており、前記挿通空間部の周縁形状が配線接続部の外周形状と補形をなしていることを特徴とする請求項１に記載のデスク装置。
【請求項３】
前記配線支持体が金属で構成されており、前記配線支持体に前記配線接続部が磁着されていることを特徴とする請求項１又は請求項２に記載のデスク装置。
【請求項４】
前記配線カバーは、前記デスク装置に対して着脱可能に固定する固定手段を有することを特徴とする請求項１〜３のいずれか１項に記載のデスク装置。
【発明の詳細な説明】
【技術分野】
【０００１】
本発明は、デスク装置に関する。
【背景技術】
【０００２】
オフィスや公共施設等の執務空間においては、執務者が効率的に執務を行う什器として天板付き什器が一般的に採用される。天板付き什器には、執務を行うために平面に形成された天板が設けられている。天板付き什器として、床面上に互いに離間して支持体が立設され、立設された支持体間に平板上の天板が架設されることにより、簡易、かつ安定的に構成されたデスク装置が多く見られる。
【０００３】
しかし、このデスク装置を、例えば複数個隣接させて使用する場合には、それぞれのデスク装置が個別に支持体を備えることになり、そのことがコストを抑える妨げになる。この観点から、床面上に支持体に立設すると共に、中間に位置する支持体を共用するように、端部に配置された支持体と中間に位置する支持体の間、もしくは中間に位置する支持体同士の間に天板を架設したものが知られている。立設された支持体間に天板を架設することにより、左右方向に隣接する天板を一つの支持体で支えることが可能になり、支持体の個数を減らすことができる。
【０００４】
また、デスク装置として、例えば特許文献１、２に開示されているものが知られている。特許文献１、２のデスク装置は、左右方向に交差する前後方向に離間させて一対の天板が支持体間に架設されたものが採用されている。一対の天板を前後方向に離間させて架設することにより、一対の天板間に配線挿通空間を形成し、配線挿通空間の下方に配線収容空間を確保するように構成されている。
【０００５】
このデスク装置によれば、デスク装置を複数人で共用できる。よって、ファシリティコストを低減することができると共に、天板上で使用する電子機器の配線等を配線挿通空間を介して配線収容空間内に収納することができる。これにより、デスク装置の使用時における体裁を良好なものとすることができる。
【先行技術文献】
【特許文献】
【０００６】
【特許文献１】特許第５０６３９８７号公報
【特許文献２】特許第４８５５９００号公報
【発明の概要】
【発明が解決しようとする課題】
【０００７】
特許文献１、２のデスク装置の場合、一対の天板間に配線挿通空間が形成されている。よって、執務者は、配線収容空間内に収納された配線へのアクセスを天板越しに行うことになる。このため、配線挿通作業や配線収容空間内に収納したテーブルタップ（配線接続部）へのコンセント（ケーブル端子）の抜き差し等の作業性の観点から改良の余地が残されていた。
【０００８】
本発明は、このような従来の課題に鑑みてなされたものであり、配線挿通作業を良好におこなうことができ、配線収容空間に収納した配線接続部へのケーブル端子の抜き差し等の作業性を良好にできるデスク装置を提供することを目的とする。
【課題を解決するための手段】
【０００９】
本発明のデスク装置は、床面上に左右方向へ離間して立設された一対の支持体と、前記一対の支持体の上部間に架設されるとともに、前後方向へ離間して配置されることにより前後方向の中央に配線挿通空間を形成する一対の天板と、前記一対の天板間の前記配線挿通空間に配置され、差込口を上面に有する配線接続部を前記上面が前記天板の上面に対して面一になるように支持可能な配線支持体と、前記天板の上面に対して面一になるように配置され、前記配線挿通空間において前記配線接続部を除いた空間を閉塞するカバー上面を有する配線カバーと、を備えることを特徴とする。
【００１０】
このように、配線挿通空間に配線支持体を設け、配線支持体に配線接続部を支持した。配線接続部としては、例えばテーブルタップやＬＡＮ（Local Area Network）ポート等が挙げられる。また、配線接続部の上面に差込口を有し、配線接続部の上面を天板の上面と面一に配置した。さらに、カバー上面を天板の上面と面一に配置し、カバー上面で配線接続部および天板間の空間を閉塞するようにした。
【００１１】
配線接続部の上面を天板の上面と面一に配置することにより、配線挿通作業を良好におこなうことができる。さらに、配線支持体に支持した配線接続部へのケーブル端子の抜き差し等の作業性を良好にできる。ケーブル端子としては、例えばテーブルタップに接続するコンセントや、ＬＡＮポートに差し込むＬＡＮケーブル等が挙げられる。
また、カバー上面を天板の上面と面一に配置し、配線挿通空間のうち配線接続部および天板間の空間をカバー上面で閉塞するようにした。これにより、デスク装置の使用時における体裁を良好なものとすることができる。
【００１２】
本発明では、前記カバー上面は、カバー上面に対して交差するように上下方向を向く挿通空間部が設けられており、前記挿通空間部の周縁形状が配線接続部の外周形状と補形をなしていることが好ましい。
【００１３】
このように、配線カバーのカバー上面に挿通空間部を設け、挿通空間部の周縁形状を配線ポートの外周形状と補形をなすようにした。すなわち、挿通空間部の周縁形状を配線接続部の外周形状に沿って互いに補うように相補形に形成した。よって、配線接続部の上面のみを挿通空間部から外部に露出させて、配線接続部の他の部位を配線カバーで覆うことができる。これにより、配線接続部をデスク装置にあたかも組み込んだように見せることができ、デスク装置の使用時における体裁を良好なものとすることができる。
また、配線接続部の上面およびカバー上面を天板の上面と面一に配置することにより、配線接続部の上面およびカバー上面を天板の上面と同様に作業面として使用することが可能になる。これにより、デスク装置の作業面を大きく確保でき、デスク装置の使い勝手を良好なものとすることができる。
【００１４】
本発明では、前記配線支持体が金属で構成されており、前記配線支持体に前記配線接続部が磁着されていることが好ましい。
よって、配線接続部を配線支持体に安定的に支持することができる。これにより、配線接続部の差込口へのケーブル端子の差込、抜取作業を容易にでき、配線接続部の使い勝手を良好なものとすることができる。
また、配線支持体に配線接続部を磁着することにより、デスク装置に市販の配線接続部を採用することが可能になる。よって、デスク装置に専用の配線接続部を備える必要がなく、デスク装置のコストを抑えることができる。
【００１５】
本発明では、前記配線カバーは、前記デスク装置に対して着脱可能に固定する固定手段を有することが好ましい。
よって、配線接続部を配線カバーで安定的に支持できる。これにより、配線接続部の差込口へのケーブル端子の差込、抜取作業を容易にでき、配線接続部の使い勝手を一層良好なものとすることができる。
【発明の効果】
【００１６】
本発明のデスク装置によれば、配線接続部の上面を天板の上面と面一に配置した。これにより、配線挿通作業を良好におこなうことができ、配線収容空間に収納した配線接続部へのケーブル端子の抜き差し等の作業性を良好なものとすることができるデスク装置に適用できる。
【図面の簡単な説明】
【００１７】
【図１】本発明の一実施形態に係るデスク装置を示す斜視図である。
【図２】本発明の一実施形態に係るデスク装置を示す平面図である。
【図３】本発明の一実施形態に係るデスク装置を示す側面図である。
【図４】本発明の一実施形態に係るデスク装置の配線収容体を示す分解斜視図である。
【図５】本発明の一実施形態に係る配線収容体の図２のＶ−Ｖ線に沿う断面図である。
【発明を実施するための形態】
【００１８】
次に、本発明の実施形態を図面に基づいて説明する。なお、実施形態において、同一、類似の構成については同じ符号を付して重複する説明を省略する場合がある。また、図１において、手前の天板（第１の天板）１１の執務者１０側を後方向、執務者１０の正面から離れる側を前方向（ＦＲ方向）、執務者１０の左側を左方向（ＬＨ方向）、執務者１０の右側を右方向として説明する。さらに、第１の天板１１から上方へ向かう方向を上方向（ＵＰ方向）として説明する。
【００１９】
本発明の一実施形態によるデスク装置１を図１〜図５に基づいて説明する。
図１は、本発明の一実施形態係るデスク装置１を示す斜視図である。図２は、デスク装置１を示す平面図である。
図１、図２に示すように、デスク装置１は、執務室の床面Ｆに設置されている。デスク装置１は、複数の支持体３〜５と、複数のビーム７と、複数の天板１１〜１４と、複数の配線収容体１６とを備えている。
【００２０】
複数の支持体３〜５として、左側板３と、右側板４と、中央脚部５とを備えている。左側板３、右側板４および中央脚部５は、床面Ｆ上に左右方向へ離間して立設されている。左側板３、右側板４および中央脚部５に複数の天板１１〜１４が支持されている。
左側板３は、側面視矩形状に形成され、デスク装置１の左側に設けられている。左側板３の上部３ａに、複数の天板１１〜１４のうち前後一対の左側天板１１，１２の左端部１１ａ，１２ａが支えられている。
右側板４は、左側板３と同様に側面視矩形状に形成され、デスク装置１の右側に立設されている。右側板４の上部４ａに、複数の天板１１〜１４のうち前後一対の右側天板１３，１４の右端部１３ａ，１４ａが支えられている。
【００２１】
中央脚部５は、側面視Ｔ字状に形成され、デスク装置１の左右方向の中央に立設されている。中央脚部５の上部５ａのうち左側部に、前後一対の左側天板１１，１２の右端部１１ｂ，１２ｂが支えられている。中央脚部５の上部５ａのうち右側部に、前後一対の右側天板１３，１４の左端部１３ｂ，１４ｂが支えられている。
【００２２】
左側板３の上部３ａおよび中央脚部５の上部５ａが、複数のビーム７のうち、デスク装置１の左側に配置された一対のビーム７で連結されている。左側に配置された一対のビーム７は、前後方向に所定間隔Ｌ１をおいて左右方向に延びている。一対のビーム７間に複数の連結部２１が左右方向に間隔をおいて配置されている。
【００２３】
また、右側板４の上部４ａおよび中央脚部５の上部５ａが、複数のビーム７のうち、デスク装置１の右側に配置された一対のビーム７で連結されている。右側に配置された一対のビーム７（図示せず）は、左側に配置された一対のビーム７と同様に、前後方向に所定間隔Ｌ１をおいて左右方向に延びている。一対のビーム７間に複数の連結部２１（図示せず）が左右方向に間隔をおいて配置されている。
すなわち、左側板３、右側板４および中央脚部５は、複数のビーム７で一体に連結されている。
【００２４】
左側板３、右側板４および中央脚部５に複数の天板１１〜１４が架設されている。すなわち、複数の天板１１〜１４は、デスク装置１の左側に配置される前後一対の左側天板１１，１２と、デスク装置１の右側に配置される前後一対の右側天板１３，１４とを備えている。
以下、前後一対の左側天板１１，１２を第１、第２の天板１１，１２として説明し、前後一対の右側天板１３，１４を第３、第４の天板１３，１４として説明する。また、第１、第２の天板１１，１２は、第３、第４の天板１３，１４と左右対称に構成されており、以下、第１、第２の天板１１，１２について詳しく説明して、第３、第４の天板１３，１４の詳しい説明を省略する。
【００２５】
第１、第２の天板１１，１２は、デスク装置１の左側に、前後方向に所定間隔Ｌ１をおいて離間された状態で配置されている。第３、第４の天板１３，１４は、デスク装置１の右側に、前後方向に所定間隔Ｌ１をおいて離間された状態で配置されている。
すなわち、第１、第２の天板１１，１２および第３、第４の天板１３，１４は、一対のビーム７と同様に、前後方向に所定間隔Ｌ１をおいて配置されている。
【００２６】
第１、第２の天板１１，１２は、左側板３の上部３ａと中央脚部５の上部５ａとの間に架設されている。具体的には、第１の天板１１は、左端部１１ａが左側板３の上部３ａに載置され、右端部１１ｂが中央脚部５の上部５ａに載置されている。さらに、第１の天板１１は、前端部１１ｃがビーム７の上部７ａに載置されている。
【００２７】
第２の天板１２は、第１の天板１１に対して前方へ所定間隔Ｌ１をおいて配置されている。第２の天板１２は、左側板３の上部３ａと中央脚部５の上部５ａとの間に架設されている。具体的には、第２の天板１２は、第１の天板１１と同様に、左側板３の上部３ａ、中央脚部５の上部５ａおよびビーム７の上部７ａに載置されている。さらに、第２の天板１２は、後端部１２ｃがビーム７の上部７ａに載置されている。
第１、第２の天板１１，１２が前後方向に所定間隔Ｌ１おいて配置されることにより、第１、第２の天板１１，１２の前後方向の中央に配線挿通空間２３（図５参照）が形成されている。配線挿通空間２３は平面視矩形状に形成されている。
【００２８】
また、第３の天板１３は、右側板４の上部４ａと中央脚部５の上部５ａとの間に架設されている。具体的には、第３の天板１３は、右端部１３ａが右側板４の上部４ａに載置され、左端部１３ｂが中央脚部５の上部５ａに載置されている。さらに、第３の天板１３は、後端部１３ｃがビーム７の上部７ａに載置されている。
【００２９】
第４の天板１４は、第３の天板１３に対して前方へ所定間隔Ｌ１をおいて配置されている。第４の天板１４は、右側板４の上部４ａと中央脚部５の上部５ａとの間に架設されている。具体的には、第４の天板１４は、第３の天板１３と同様に、右側板４の上部４ａ、中央脚部５の上部５ａおよびビーム７の上部７ａに載置されている。
第３、第４の天板１３，１４が前後方向に所定間隔Ｌ１おいて配置されることにより、第３、第４の天板１３，１４の前後方向の中央に配線挿通空間２３（図示せず）が形成されている。配線挿通空間２３は平面視矩形状に形成されている。
【００３０】
このように、第１、第２の天板１１，１２の前後方向の中央に配線挿通空間２３が形成され、第３、第４の天板１３，１４の前後方向の中央に配線挿通空間２３が形成されている。また、左側の配線挿通空間２３には、複数の配線収容体１６のうち第１、第２の配線収容体１６が隣接して左右方向に延びるように配置されている。さらに、右側の配線挿通空間２３には、複数の配線収容体１６のうち第３、第４の配線収容体１６が隣接して左右方向に延びるように配線収容体１６が配置されている。
第１〜第４の配線収容体１６は各々同様に構成されており、以下、第１の配線収容体１６を配線収容体１６として詳しく説明して第２〜第４の配線収容体１６の詳しい説明を省略する。
【００３１】
図３は、デスク装置１を示す側面図である。図４は、デスク装置１の配線収容体１６を示す分解斜視図である。
図３、図４に示すように、配線収容体１６は、配線支持体３１と、配線カバー３２とを備えている。配線支持体３１は、第１の天板１１および第２の天板１２間の配線挿通空間２３に配置されている。配線支持体３１は、例えば金属製の平板を折り曲げて形成されている。配線支持体３１は、配線トレー３５と、左側取付部３６と、右側取付部３７とを備えている。
【００３２】
配線トレー３５は、水平に配置されたトレー底部４１と、トレー底部４１の前辺から立ち上げられたトレー前壁４２と、トレー底部４１の後辺から立ち上げられたトレー後壁４３とを有する。トレー底部４１は、平面視において矩形状に形成されている。
また、トレー底部４１、トレー前壁４２、およびトレー後壁４３で配線トレー３５が断面Ｕ字状（図５も参照）に形成されている。
【００３３】
左側取付部３６は、左側板３の上部３ａ寄りの連結部２１に載置可能に形成され、左取付穴４５を有する。上部３ａ寄りの連結部２１にボルト４６が差し込まれ、差し込まれたボルト４６が連結部２１にねじ結合される。よって、上部３ａ中央寄りの連結部２１に左側取付部３６が取り付けられる。
右側取付部３７は、第１、第２の天板１１，１２の左右方向中央の連結部２１に載置可能に形成され、右取付穴４７を有する。右取付穴４７にボルト４８が差し込まれ、差し込まれたボルト４８が連結部２１にねじ結合される。よって、第１、第２の天板１１，１２の左右方向中央の連結部２１に右側取付部３７が取り付けられる。
これにより、配線支持体３１が配線挿通空間２３に配置された状態に支持される。この状態において、配線支持体３１のトレー底部４１が配線挿通空間２３において水平に配置される。
【００３４】
図５は、配線収容体１６を示す断面図である。
図４、図５に示すように、トレー底部４１の上面４１ａに配線接続部５１が支持されている。配線接続部５１としては、例えばテーブルタップ（電源タップ）５２やＬＡＮポート（Local Area Network）５３等が挙げられる。
すなわち、トレー底部４１の上面４１ａには、テーブルタップ５２やＬＡＮポート５３等が載置されている。テーブルタップ５２やＬＡＮポート５３等は、トレー底部４１の上面４１ａに磁着されている。よって、テーブルタップ５２やＬＡＮポート５３等をトレー底部４１の上面４１ａに安定的に支持することができる。
【００３５】
よって、例えば、図１に示すパーソナルコンピュータ５４のコンセント５５（ケーブル端子）によるテーブルタップ５１の差込口５６への差込、抜取作業を容易にできる。これにより、テーブルタップ５１の使用時の使い勝手を良好なものとすることができる。
【００３６】
図４、図５に戻って、テーブルタップ５１と同様に、ＬＡＮポート５３の差込口５７へのＬＡＮケーブル（ケーブル端子）の差込、抜取作業を容易にでき、ＬＡＮポート５３の使い勝手を良好なものとすることができる。
さらに、配線支持体３１にテーブルタップ５２やＬＡＮポート５３が磁着されている。よって、デスク装置１に市販のテーブルタップ５２やＬＡＮポート５３を採用することが可能になる。これにより、デスク装置１に専用のテーブルタップやＬＡＮポートを備える必要がなく、デスク装置１のコストを抑えることができる。
【００３７】
テーブルタップ５２は、タップ底部６１、タップ外周壁６２、タップ上面（上面）６３で外形の断面が矩形状に形成されている。また、テーブルタップ５２は、例えば、平面視において、タップ外周壁６２の外周形状が矩形状に形成されている。
タップ底部６１には磁石６８が設けられている。タップ底部６１の磁石６８でテーブルタップ５２がトレー底部４１の上面４１ａに磁着されている。
【００３８】
また、タップ外周壁６２とタップ上面６３との交差部にタップ湾曲部６５が形成されている。タップ外周壁６２の上端部６２ａに対して、第１の天板１１の上面１１ｄや、第２の天板１２の上面１２ｄが同じ高さに配置されている。
よって、タップ上面６３は、第１の天板１１の上面１１ｄや、第２の天板１２の上面１２ｄに対して僅かに上方に突出して配置される。この状態を、第１の天板１１の上面１１ｄおよび第２の天板１２の上面１２ｄに対してタップ上面６３が面一に配置されている状態とする。その他の例として、第１の天板１１の上面１１ｄや、第２の天板１２の上面１２ｄに対してタップ上面６３を平坦に配置してもよい。
【００３９】
タップ上面６３には複数の差込口５６が設けられている。各々の差込口５６にコンセント５５（図１参照）が差し込まれる。
ここで、第１の天板１１の上面１１ｄおよび第２の天板１２の上面１２ｄに対してタップ上面６３を面一に配置することにより、テーブルタップ５２を執務者１０（図１参照）に近づけることができる。これにより、テーブルタップ５２の配線挿通作業を良好におこなうことができる。さらに、テーブルタップ５２の差込口５６へのコンセントの抜き差し等の作業性を良好にできる。
【００４０】
ＬＡＮポート５３は、トレー底部４１の取付口４１ｂに差し込まれた状態で、トレー底部４１に取り付けられている。ＬＡＮポート５３は、例えば、ポート底部７１、ポート外周壁７２、ポート上面（上面）７３で外形の断面が矩形状に形成されている。また、ＬＡＮポート５３は、例えば、平面視において、ポート外周壁７２の外周形状が矩形状に形成されている。
【００４１】
さらに、ポート外周壁７２とポート上面７３との交差部にポート湾曲部が形成されている。ポート外周壁７２の上端部に対して、第１の天板１１の上面１１ｄや、第２の天板１２の上面１２ｄが同じ高さに配置されている。
よって、ポート上面７３は、タップ上面６３と同様に、第１の天板１１の上面１１ｄや、第２の天板１２の上面１２ｄに対して僅かに上方に突出して配置される。この状態を、第１の天板１１の上面１１ｄおよび第２の天板１２の上面１２ｄに対してポート上面７３が面一に配置されている状態とする。その他の例として、第１の天板１１の上面１１ｄや、第２の天板１２の上面１２ｄに対してポート上面７３を平坦に配置してもよい。
【００４２】
ポート上面７３には複数の差込口５７が設けられている。差込口５６にＬＡＮケーブルが差し込まれる。ここで、第１の天板１１の上面１１ｄおよび第２の天板１２の上面１２ｄに対してポート上面７３を面一に配置することにより、ＬＡＮポート５３を執務者１０（図１参照）に近づけることができる。
これにより、ＬＡＮポート５３の配線挿通作業を良好におこなうことができる。さらに、ＬＡＮポート５３の差込口５７へのコンセントの抜き差し等の作業性を良好にできる。
【００４３】
配線支持体３１には配線カバー３２が支持されている。配線カバー３２は、カバー上面７６と、カバー周壁部７７と、固定手段７８とを備えている。
カバー上面７６は、トレー底部４１と同様に、平面視において外形が矩形状に形成されている。カバー上面７６は、第１、第２の挿通空間部（挿通空間部）９１，９２を有する。
第１挿通空間部９１は、カバー上面７６のうち、テーブルタップ５２のタップ上面６３に対応する部位において、カバー上面７６に対して交差するように上下方向を向いて開口されている。第１挿通空間部９１は、テーブルタップ５２のタップ外周壁６２と同様に矩形状に形成されている。
【００４４】
また、第１挿通空間部９１は、周縁形状がテーブルタップ５２の外周形状と補形をなしている。すなわち、第１挿通空間部９１は、テーブルタップ５２のタップ外周壁６２に沿って周縁９１ａが互いに補うように相補形に形成されている。よって、テーブルタップ５２のタップ上面６３のみを第１挿通空間部９１から外部に露出させて、テーブルタップ５２の他の部位を配線カバー３２で覆うことができる。
これにより、テーブルタップ５２をデスク装置１にあたかも組み込んだように見せることができ、デスク装置１の使用時における体裁を良好なものとすることができる。
【００４５】
第２挿通空間部９２は、カバー上面７６のうち、ＬＡＮポート５３のポート上面７３に対応する部位において、カバー上面７６に対して交差するように上下方向を向いて開口されている。第２挿通空間部９２は、ＬＡＮポート５３と同様に矩形状に形成されている。
また、第２挿通空間部９２は、周縁形状がＬＡＮポート５３の外周形状と補形をなしている。すなわち、第２挿通空間部９２は、ＬＡＮポート５３のポート外周壁７２に沿って周縁９２ａが互いに補うように相補形に形成されている。ＬＡＮポート５３のポート上面７３のみを第２挿通空間部９２から外部に露出させて、ＬＡＮポート５３の他の部位を配線カバー３２で覆うことができる。
これにより、ＬＡＮポート５３をデスク装置１にあたかも組み込んだように見せることができ、デスク装置１の使用時における体裁を良好なものとすることができる。
【００４６】
カバー上面７６の外周縁にカバー周壁部７７が形成されている。カバー周壁部７７は、カバー上面７６の外周縁に沿って矩形枠状に形成されている。これにより、カバー周壁部７７でカバー上面７６が補強されている。カバー周壁部７７に固定手段７８が設けられている。
固定手段７８は、前段部９４と、前固定壁９５と、後段部９６と、後固定壁９７とを備えている。
【００４７】
前段部９４は、カバー周壁部７７の前壁７７ａの下端部に、配線カバー３２の内側に向けて凹むように形成されている。前固定壁９５は、前段部９４の下端部から、配線トレー３５のトレー前壁４２に沿って下方に向けて張り出されている。
後段部９６は、カバー周壁部７７の後壁７７ｂの下端部に、配線カバー３２の内側に向けて凹むように形成されている。後固定壁９７は、後段部９６の下端部から、配線トレー３５のトレー後壁４３に沿って下方に向けて張り出されている。
【００４８】
前固定壁９５および後固定壁９７が、トレー前壁４２およびトレー後壁４３に沿って下方に差し込まれる。前段部９４および後段部９６が、トレー前壁４２の上端部４２ａおよびトレー後壁４３の上端部４３ａに当接する。
これにより、配線カバー３２が配線支持体３１に対して着脱可能に嵌合されることにより固定される。配線支持体３１は、デスク装置１の連結部２１に取り付けられている。よって、配線カバー３２は、デスク装置１に対して配線支持体３１を介して着脱可能に固定される。
【００４９】
配線カバー３２の固定手段７８が配線支持体３１に嵌合されることにより、カバー上面７６が第１の天板１１の上面１１ｄおよび第２の天板１２の上面１２ｄに対して面一になるように配置される。
ここで、第１の天板１１の上面１１ｄ、第２の天板１２の上面１２ｄに対してタップ上面６３やポート上面７３が僅かに上方に突出して配置されている。よって、カバー上面７６は、タップ上面６３やポート上面７３に対して僅かに下方に配置されている。
この状態を、カバー上面７６に対してタップ上面６３やポート上面７３が面一に配置されている状態とする。その他の例として、カバー上面７６に対してタップ上面６３を平坦に配置してもよい。
【００５０】
これにより、タップ上面６３、ポート上面７３およびカバー上面７６は、第１の天板１１の上面１１ｄおよび第２の天板１２の上面１２ｄに対して面一に配置されている。よって、タップ上面６３、ポート上面７３およびカバー上面７６を、第１の天板１１の上面１１ｄおよび第２の天板１２の上面１２ｄと同様に作業面として使用することが可能になる。これにより、デスク装置１の作業面を大きく確保でき、デスク装置１の使い勝手を良好なものとすることができる。
【００５１】
さらに、配線挿通空間２３において、テーブルタップ５２のタップ上面６３やＬＡＮポート５３のポート上面７３を除いた空間（間隙）２３ａを配線カバー３２で閉塞（覆うことが）できる。これにより、デスク装置１の使用時における体裁を良好なものとすることができる。
【００５２】
また、配線カバー３２は、固定手段７８で配線支持体３１に着脱可能に固定されている。配線カバー３２の第１挿通空間部９１はテーブルタップ５２と補形をなし、第２挿通空間部９２ＬＡＮポート５３と補形をなしている。よって、テーブルタップ５２やＬＡＮポート５３を配線カバー３２で安定的に支持できる。
これにより、テーブルタップ５２の差込口５６へのコンセントコネクタの差込、抜取作業や、ＬＡＮポート５３の差込口５７へのＬＡＮケーブルの差込、抜取作業を容易にできる。したがって、テーブルタップ５２やＬＡＮポート５３の使い勝手を一層良好なものとすることができる。
【００５３】
以上、図面を参照して、本発明の実施形態を詳述してきたが、具体的な構成は、この実施形態に限らず、本発明の要旨を逸脱しない程度の設計的変更は、本発明に含まれる。
例えば、実施形態のデスク装置１では、配線支持体３１のトレー前壁４２およびトレー後壁４３に沿って配線カバー３２の固定手段７８を差し込むことにより、配線カバー３２を配線支持体３１に着脱可能に固定する例について説明したが、これに限らない。その他の例として、例えば配線カバー３２を配線支持体３１にボルト等の締結部材で着脱可能に固定してもよい。
【００５４】
また、実施形態では、配線支持体３１に配線カバー３２を着脱可能に固定する例について説明したが、これに限らない。その他の例として、例えば配線カバー３２を第１の天板１１および第２の天板１２に着脱可能に固定してもよい。
【符号の説明】
【００５５】
１      デスク装置
３      左側板（支持体）
３ａ    左側板の上部
４      右側板（支持体）
４ａ    右側板の上部
５      中央脚部（支持体）
５ａ    中央脚部の上部
１１，１２  第１、第２の天板（一対の天板）
１１ｄ，１２ｄ  第１、第２の天板の上面
１３，１４  第３、第４の天板（一対の天板）
２３    配線挿通空間
２３ａ  空間
３１    配線支持体
３２    配線カバー
５１    配線接続部
５２    テーブルタップ
５３    ＬＡＮポート
５５    テーブルタップの差込口（差込口）
５６    ＬＡＮポートの差込口（差込口）
６２    タップ外周壁（テーブルタップの外周形状）
６３    タップ上面（上面）
６８    磁石
７２    ポート外周壁（ＬＡＮポートの外周形状）
７３    ポート上面（上面）
７６  カバー上面
７８    固定手段
９１，９２  第１、第２の挿通空間部（挿通空間部）
９１ａ，９２ａ  第１、第２の挿通空間部の周縁（挿通空間部の周縁形状）
Ｆ      床面
【図１】
2019080610.tif 000003
【図２】
2019080610.tif 000004
【図３】
2019080610.tif 000005
【図４】
2019080610.tif 000006
【図５】
2019080610.tif 000007